【手続補正書】
【提出日】平成24年10月12日(2012.10.12)
【手続補正１】
【補正対象書類名】特許請求の範囲
【補正対象項目名】全文
【補正方法】変更
【補正の内容】
【特許請求の範囲】
【請求項１】
ワイヤレス通信システム（ＷＣＳ）において動作するフェムトセル・デバイスの位置の検出において、ワイヤレス位置検出システム（ＷＬＳ）によって用いるための方法であって、前記ＷＬＳは、サービング移動体位置検出センタ（ＳＭＬＣ）と、前記ＳＭＬＣと通信可能な複数の位置測定ユニット（ＬＭＵ）と、前記ＳＭＬＣと通信可能な複数のリンク・モニタと、前記ＳＭＬＣと通信可能なＳＭＬＣデータベースとを含み、方法は、
前記フェムトセル・デバイスを発見し、その位置検出を開始するステップと、
前記フェムトセル・デバイスの位置を判定するステップとを含み、
前記フェムトセル・デバイスの位置検出を開始するステップは、前記ＷＬＳと関連付けられた無線ネットワーク・モニタ（ＲＮＭ）またはリンク監視システム（ＬＭＳ）を用いた新たなセル-ＩＤの検出を含む、方法。
【請求項２】
請求項１に記載の方法であって、前記ワイヤレス通信システムが、前記フェムトセルに加えて、複数のマクロセルと少なくとも１つのマイクロセルとを含み、選択的に、
前記フェムトセルは、１つのマクロセルの無線フットプリント内に位置付けられたアンダーレイ・フェムトセルである、または、
前記フェムトセルは、複数のマクロセルの無線フットプリント内に位置付けられた境界フェムトセルである、または、
前記フェムトセルは、前記ＷＣＳの全てのマクロセルの無線フットプリントおよびカバレッジ・エリアの外側に位置付けられた遠隔フェムトセルである、方法。
【請求項３】
請求項１に記載の方法であって、ＳＭＬＣデータベースは、前記ワイヤレス通信システムのセル位置およびその他の無線の側面を含み、前記発見および開始は、コール・イベントに関するメッセージ内における新たなセル-ＩＤを求めて、ワイヤレス通信システム・リンク・トラフィックの監視を通じて、フェムトセルＩＤ情報を発見することを選択的に含み、方法はさらに、
フェムトセル識別情報を前記ＳＭＬＣデータベースに格納するステップと、
前記フェムトセルの位置検出に対するトリガを設定するステップとを含み、前記トリガを設定することは、（ｃ１）ワイヤレス・インテリジェント・ネットワーク（ＷＩＮ）設備を通じてフェムトセル・セル-ＩＤトリガを前記ＳＭＬＣデータベースに設定する手順、（ｃ２）いつ前記フェムトセル・デバイスが移動局（ＭＳ）に応対しているか特定するために前記移動局（ＭＳ）の位置情報を試験すべきことを前記ＷＬＳに示すために、内部フェムトセル・セル-ＩＤトリガを前記ＳＭＬＣデータベースに設定する手順、（ｃ３）前記ＷＬＳと関連付けられた無線ネットワーク・モニタ（ＲＮＭ）またはリンク監視システム（ＬＭＳ）にフェムトセル・セル-ＩＤトリガを設定する手順のうちの少なくとも１つを含み、前記フェムトセル・セル-Ｄの検出が、前記フェムトセル・デバイスの位置検出を試すことを前記ＷＬＳに指示するように前記ＷＬＳは構成されており、
前記フェムトセル・デバイスの位置を判定し、位置情報を前記ＳＭＬＣデータベースに提供するステップと、
前記フェムトセル・デバイスの計算した位置に関する確信度を計算するステップと、
前記計算した確信度を、前記ＳＭＬＣデータベースに格納された確信度と比較するステップと、
前記計算した確信度が前記格納された確信度よりも高いと判断し、前記ＳＭＬＣデータベースの中にある位置情報を更新するステップ、または、前記計算した確信度が前記格納された確信度よりも高いと判断し、前記ワイヤレス通信システムの操作者に、前記フェムトセル・デバイスと関連のある格納された位置情報における誤差を通知するステップと、を含む、方法。
【請求項４】
請求項３に記載の方法であって、前記計算した確信度が、予め定められた値よりも低いと判定し、より高精度な前記フェムトセル・デバイスの位置を得ようと試みるステップをさらに含む、方法。
【請求項５】
請求項３に記載の方法であって、ＲＦ計画および調整のために前記フェムトセル
の位置を用いるステップをさらに含む、方法。
【請求項６】
請求項５に記載の方法であって、前記ＲＦ計画および調整は、前記フェムトセル・デバイスが再配置されるときに、前記フェムトセル・デバイスが他のセルと干渉するのを防止することを含む、方法。
【請求項７】
請求項３に記載の方法であって、前記フェムトセルの位置を、緊急サービスに用いるステップをさらに含む、方法。
【請求項８】
請求項３に記載の方法であって、前記ワイヤレス通信システムは、前記フェムトセルに加えて、複数のマクロセルと少なくとも１つのマイクロセルとを含み、選択的に、前記フェムトセル・デバイスは、１つのマクロセルの無線フットプリント内に位置付けられたアンダーレイ・フェムトセルとして配備され、または、前記フェムトセル・デバイスは、複数のマクロセルの無線フットプリント内に位置付けられた境界フェムトセルとして配備される、または、前記フェムトセル・デバイスは、前記ワイヤレス通信システムの全てのマクロセルの無線フットプリントおよびカバレッジ・エリアの外側に位置付けられた遠隔フェムトセルとして配備される、方法。
【請求項９】
請求項１または３に記載の方法であって、前記フェムトセル・デバイスの位置は、前記ＷＬＳによって計算され、または、前記フェムトセル・デバイスの位置は、ハンドオーバー手順の間にアップリンク送信を用いて判定される、方法。
【請求項１０】
ワイヤレス位置検出システム（ＷＬＳ）であって、
サービング移動体位置検出センタ（ＳＭＬＣ）と、
前記ＳＭＬＣと通信可能な複数の位置測定ユニット（ＬＭＵ）と、
前記ＳＭＬＣと通信可能な複数のリンク・モニタと、
前記ＳＭＬＣと通信可能であり前記ワイヤレス通信システムのセル位置およびその他の無線の側面を含むＳＭＬＣデータベースと、
前記ワイヤレス位置検出システムにおいて動作するフェムトセル・デバイスの位置を検出するように構成されたサブシステムであって、前記フェムトセル・デバイスを発見しその位置検出を開始するように構成されたサブシステムと、前記フェムトセル・デバイスの位置を判定するように構成されたサブシステムとを含む、サブシステムとを備え、
前記フェムトセル・デバイスの位置検出を開始するように構成された前記サブシステムは、
前記ワイヤレス通信システムからコマンドを受信するように構成されたサブシステムと、
前記フェムトセル・デバイスによってブロードキャストされたセル-ＩＤ情報に基づいて、ワイヤレス・インテリジェント・ネットワーク・トリガを受信するように構成されたサブシステムと、
新たなセル-ＩＤを検出するように構成されたサブシステムとを備える、ワイヤレス位置検出システム。
【請求項１１】
請求項１０に記載のＷＬＳであって、新たなセル-ＩＤを検出するように構成されたサブシステムは、無線ネットワーク・モニタ（ＲＮＭ）またはリンク監視システム（ＬＭＳ）を含む、ＷＬＳ。
【請求項１２】
請求項３に記載の方法または請求項１０に記載のＷＬＳであって、前記ワイヤレス通信システムは、前記フェムトセルに加えて、複数のマクロセルと、少なくとも１つのマイクロセルとを含む、方法またはＷＬＳ。
【請求項１３】
請求項３に記載の方法または請求項１０に記載のＷＬＳであって、前記フェムトセル・デバイスの位置は、当該フェムトセル・デバイスによって計算される、方法またはＷＬＳ。
【請求項１４】
請求項１３に記載の方法またはＷＬＳであって、前記フェムトセル・デバイスは、ＧＮＳＳ衛星信号を受信することができる受信機を含むグローバル・ナビゲーション衛星システム（ＧＮＳＳ）対応デバイスである、方法またはＷＬＳ。
【請求項１５】
請求項１０に記載のＷＬＳであって、前記フェムトセル・デバイスの位置は、ハンドオーバー手順の間にアップリンク送信を用いて判定される、ＷＬＳ。
【請求項１６】
請求項１０記載のワイヤレス位置検出システム（ＷＬＳ）によって用いるためのサブシステムであって、前記サブシステムはさらに、
（ａ）前記フェムトセル・デバイスを発見しその位置検出を開始するように構成された
サブシステムであって、前記発見および開始が、（ａ１）前記ワイヤレス通信システムか
らフェムトセルＩＤ情報を受信する手順、（ａ２）コール詳細記録の分析により前記フェ
ムトセルＩＤ情報を発見する手順、および（ａ３）コール・イベントに関するメッセージ
内において新たなセル-ＩＤを求めて、ワイヤレス通信システム・リンク・トラフィック
の監視を通じて、前記フェムトセルＩＤ情報を発見する手順のうちの少なくとも１つを含む、
サブシステムと、
（ｂ）フェムトセル識別情報を前記ＳＭＬＣデータベースに格納するように構成された
サブシステムと、
（ｃ）前記フェムトセルの位置検出に対するトリガを設定するように構成されたサブシ
ステムであって、前記トリガの設定が、（ｃ１）ワイヤレス・インテリジェント・ネット
ワーク（ＷＩＮ）設備を通じてフェムトセル・セル-ＩＤトリガを前記ＳＭＬＣデータベ
ースに格納する手順、（ｃ２）いつ前記フェムトセル・デバイスが移動局（ＭＳ）に応対
しているか特定するために前記移動局（ＭＳ）の位置情報を試験すべきことを前記ＷＬＳ
に示すために、内部フェムトセル・セル-ＩＤトリガを前記ＳＭＬＣデータベースに設定
する手順、（ｃ３）前記ＷＬＳと関連付けられた無線ネットワーク・モニタ（ＲＮＭ）ま
たはリンク監視システム（ＬＭＳ）にフェムトセル・セル-ＩＤトリガを設定する手順の
内少なくとも１つを含み、前記ＷＬＳが、前記フェムトセル・セル-Ｄの発見が、前記フ
ェムトセル・デバイスの位置検出を試すことを前記ＷＬＳに催促する、サブシステムと、
（ｄ）前記フェムトセル・デバイスの位置を計算するように構成されたサブシステムと
、
（ｅ）前記フェムトセルの計算した位置に関する確信度を計算するように構成されたサブ
システムと、
（ｆ）前記計算した確信度を、前記ＳＭＬＣデータベースに格納された確信度と比較す
るように構成されたサブシステムと、
を備える、サブシステム。
【請求項１７】
請求項１６に記載のサブシステムであって、前記計算した確信度が前記格納された確信度よりも高いと判断し、それに応答して前記ＳＭＬＣデータベースの中にある位置情報を更新するように構成されたサブシステムをさらに備える、サブシステム。
【請求項１８】
請求項１６に記載の方法であって、前記計算した確信度が、前記格納された確信度よりも高いと判定し、前記ワイヤレス通信システムの操作者に、前記フェムトセル・デバイスと関連のある格納された位置情報における誤差を通知するように構成されたサブシステムをさらに備える、サブシステム。
【請求項１９】
請求項１６に記載のサブシステムであって、前記計算した確信度が、予め定められた値よりも低いと判定し、より高精度な前記フェムトセル・デバイスの位置を得ようとするように構成されたサブシステムをさらに備える、サブシステム。
【請求項２０】
請求項１６に記載のサブシステムであって、前記フェムトセル・デバイスの位置は、当該フェムトセル・デバイスによって計算され、または、前記フェムトセル・デバイスの位置は、ハンドオーバー手順の間にアップリンク送信を用いて判定される、サブシステム。